(57)【要約】  【課題】単一の制御部に接続された親局と複数の被制御装置に対応する複数の子局を伝送クロックで同期させ共通のデータ信号線を介しデータの伝送を行う伝送同期方式を採用した制御・監視信号伝送システムにおいて、伝送ラインの断線を正確に検出することができる伝送ライン断線検出方式とその方式に使用する子局ターミナルを提供する。  【解決手段】親局から共通データ信号線に出力される一連のパルス状信号に、制御データ信号のデータと監視データ信号のデータとで構成される制御・監視データ領域と異なる、複数のパルス状信号で構成される管理データ領域を設ける。そして、管理データ領域において、子局の一つを特定する管理制御データを構成する信号が重畳される出力データ期間とそれに対応する同一周期の入力データ期間に、子局からの個別特定データを構成する信号が重畳され、個別特定データと比較用データの比較照合結果に基づいて断線の有無が判断される。【選択図】  図１
2013046296.tif 000002
【特許請求の範囲】
【請求項１】
単一の親局と複数の子局を共通データ信号線で接続し、
前記親局が有するタイミング発生手段で生成される伝送クロックの制御下で、
前記親局は、制御部から引き渡された制御データの値に応じた制御データ信号として一連のパルス状信号を前記共通データ信号線に出力すると共に、前記一連のパルス状信号に前記複数の子局の各々から前記クロックの１周期毎に重畳された監視データ信号のデータ値を抽出し、これを前記制御部に引き渡し、
前記複数の子局の各々は、前記一連のパルス状信号の始まりを示すスタート信号を起点として、前記一連のパルス状信号のパルスをカウントし、前記カウントの値が自局アドレスと一致したとき、前記一連のパルス状信号から自局に対応する前記制御データを抽出するとともに、前記自局に対応する前記制御データを抽出したクロックと同じパルス周期に、前記監視データ信号を前記一連のパルス状信号に重畳する制御・監視信号伝送システムにおいて、
前記一連のパルス状信号に、前記制御データ信号のデータと前記監視データ信号のデータとで構成される制御・監視データ領域と異なる、複数のパルス状信号で構成される管理データ領域を設け、
前記管理データ領域において、前記子局の一つを特定する管理制御データを構成する信号が重畳される出力データ期間とそれに対応する同一周期の入力データ期間に、前記子局からの個別特定データを構成する信号が重畳され、
前記個別特定データと比較用データの比較照合結果に基づいて断線の有無が判断されることを特徴とする伝送ライン断線検出方式。
【請求項２】
前記個別特定データが、前記子局に付与されたアドレスであり、前記比較用データが前記管理制御データである請求項１に記載の伝送ライン断線検出方式。
【請求項３】
前記個別特定データが、予め決められた複数ビット値であり、前記比較用データが前記複数ビット値である請求項１に記載の伝送ライン断線検出方式。
【請求項４】
親局が接続された共通データ信号線に接続され、
前記共通データ信号線を介して伝送される一連のパルス状信号の始まりを示すスタート信号を起点として、前記一連のパルス状信号のパルスをカウントし、前記カウントの値が自局アドレスと一致するタイミングの制御データ信号を得るアドレス抽出手段と、
前記一連のパルス状信号に、前記アドレス抽出手段から前記制御データ信号が引き渡されたタイミングで、自局からの情報として監視データ信号を重畳する監視データ送信手段と、
前記一連のパルス状信号において、前記監視データ信号を重畳するための領域とは異なる、複数のパルス状信号で構成される管理データ領域に、前記親局で重畳された管理制御データを抽出する管理制御データ抽出手段と、
前記管理制御データを構成する信号が重畳される出力データ期間に対応する同一周期の入力データ期間に自局からの情報として管理監視データ信号を重畳する管理監視データ送信手段と、
前記管理制御データ抽出手段からアドレスデータを得て、前記アドレスデータが自局アドレスと一致するときに前記管理監視データ送出手段に自局の個別特定データを引き渡す個別特定データ出力手段を備えることを特徴とする子局ターミナル。
【発明の詳細な説明】
【技術分野】
【０００１】
本発明は、単一の制御部に接続された親局と複数の被制御装置に対応する複数の子局との間の信号線を省配線化し共通のデータ信号線で接続し、その共通のデータ信号線を介し伝送クロックで同期させデータの伝送を行う伝送同期方式が採用された制御・監視信号伝送システムにおいて、伝送ラインの断線を検出する伝送ライン断線検出方式およびその方式に使用する子局ターミナルに関するものである。
【背景技術】
【０００２】
単一の制御部と複数の被制御装置（制御部の指示に応じて動作する被制御部と制御部に情報を送信するセンサ部とで構成されるもの）を備える制御システムにおいて、配線の数を減らす、所謂省配線化が広く実施されている。そして、その省配線化の一般的な手法として、複数の被制御装置から延出される信号線の各々を制御部に直接繋ぐパラレル接続に代えて、パラレル信号とシリアル信号の変換機能を備えた親局と複数の子局を、制御部と複数の被制御装置にそれぞれ接続し、親局と複数の子局との間でシリアル信号によりデータ授受を行う方式が広く採用されている。【０００３】
省配線化が実現された場合、多数の子局が接続されている状態において、接続断線が生じた部位を制御部側で特定することができない場合、制御部から遠く離れている子局の配線を各々チェックする必要があり、その断線箇所の特定に多くの工数を要することになる。【０００４】
そこで、制御部側において、子局側での断線を確認する手法が提案されている。例えば、特開昭６２−１７３８３０号公報には、１台のマスターユニットに対して各々アドレス設定された複数のターミナルユニットを共通の信号線を介して接続し、マスターユニットから、順次指定アドレスをサイクリックに変更しながら伝送信号を送り、アドレス指定されたターミナルユニットから返信信号が送られる時分割多重伝送システムの断線検出方法が開示されている。この断線検出方法では、ターミナルユニットからの返信信号を受信できない状態が所定数の伝送サイクル間連続して発生したことをマスターユニットが検出し、信号線に断線が発生したと判断される。【０００５】
この断線検出方法では、複数装置間でデータの授受を行う方式として、データの授受を行なう相手（子局）に対して、その相手を特定するためのデータ（アドレスデータ）にて指定するコマンド方式が採用されている。省配線化された場合にシリアル信号でデータ授受を行う方式においても、このコマンド方式を採用することは可能である。しかしながら、コマンド方式では、伝送目的のデータ量に対してコマンドデータ（アドレスデータ）が大きくなると伝送効率が低下するという問題がある。そこで、シリアル信号による伝送効率を上げるために、アドレスデータを含まないパルスサイクルで順次伝送される監視信号及び制御信号によりデータを授受する伝送同期方式が好ましい場合がある。このように、省配線技術においてコマンド方式と伝送同期方式は、用途において使い分けられているが、伝送同期方式が採用されたシステムについても、制御部側で子局側の断線を確認する手法が提案されている。【０００６】
例えば、特開平７−９９５０３号公報には、伝送路において異常発生箇所を容易に特定できるデータ伝送装置が開示されている。このデータ伝送装置では、自局の周回カウンタにおけるカウント値が自己に割り当てられた所定値になったことを条件に、信号線に伝送されるパルス信号の１周回分の最終領域に確認信号を出力するアンサー手段が各ターミナルユニットに設けられる。そして、信号線に接続された異常検出手段が、自己の周回カウンタのカウント値に対応する、ターミナルユニットのアンサー手段からの確認信号の有無を判別し、確認信号の有る場合にはそのカウント値に対応するターミナルユニットの接続異常が無いと判断され、信号線に伝送されるパルス信号の１周回分の最終領域にチェック信号が出力される。また、確認信号の無い場合にはそのカウント値に対応するターミナルユニットの接続異常があると判断され、チェック信号が出力されず、これをもってマスターユニットが断線を検知できる。【０００７】
また、特開平９−８４１５５号公報には、一つの主局とこれに分岐接続される１以上の従局とで構成され、主局から送出する制御信号を従局に伝送して制御を行うと共に従局の状態を含む監視信号を主局に伝送する制御・監視システムにおいて、異常発生個所を中央の主局において検出することができ、伝送ケーブルが分岐していても断線を検出し、被制御部やセンサ部等の機器の状態を中央で識別する技術が開示されている。この文献に開示されているシステムでは、主局から送出されるフレームが、電源電圧レベルの期間が長いスタート信号と、データ信号と、従局の識別符号（ＩＤコード）の信号及びエンド信号で構成され、ＩＤコードが順番に変化するフレームが順番に送出される。各従局では自局に割り当てられたＩＤコードと、データの送受信アドレスを示すカウント値が設定され、主局から受信したＩＤコードと一致するとエンド信号のタイミングでエンド応答を発生する。そして、主局では、該当する従局からのエンド応答を記憶して、従局の構成を記録する。
【先行技術文献】
【特許文献】
【０００８】
【特許文献１】特開昭６２−１７３８３０号公報
【特許文献２】特開平７−９９５０３号公報
【特許文献３】特開平９−８４１５５号公報
【発明の概要】
【発明が解決しようとする課題】
【０００９】
しかしながら、省配線化されたシステムにおいて断線を検出するための従来方式では、断線を示す応答が、確認対象となっている子局からの真の応答であるのかどうかを確認することができなかった。例えば、ノイズが誤検出されたものであった場合でも、断線が生じていないと判断されてしまった。そのため、伝送ラインの断線を正確に把握することができないという問題があった。【００１０】
そこで本発明は、単一の制御部に接続された親局と、複数の被制御装置に対応する複数の子局を、伝送クロックで同期させ共通のデータ信号線を介しデータの伝送を行う伝送同期方式を採用した制御・監視信号伝送システムにおいて、伝送ラインの断線を正確に検出することができる伝送ライン断線検出方式とその方式に使用する子局ターミナルを提供することを目的とする。
【課題を解決するための手段】
【００１１】
本発明に係る伝送ライン断線検出方式が適用される制御・監視信号伝送システムでは、単一の親局と複数の子局を共通データ信号線で接続する。前記親局が有するタイミング発生手段で生成される伝送クロックの制御下で、前記親局は、制御部から引き渡された制御データの値に応じて制御データ信号として一連のパルス状信号を前記共通データ信号線に出力すると共に、前記一連のパルス状信号に前記複数の子局の各々から前記クロックの１周期毎に重畳された監視データ信号のデータ値を抽出し、これを前記制御部に引き渡す。前記複数の子局の各々は、前記一連のパルス状信号の始まりを示すスタート信号を起点として、前記一連のパルス状信号のパルスをカウントし、前記カウントの値が自局アドレスと一致したとき、前記一連のパルス状信号から自局に対応する前記制御データを抽出するとともに、前記自局に対応する前記制御データを抽出したクロックと同じパルス周期に、前記監視データ信号を前記一連のパルス状信号に重畳する。そして、本発明に係る伝送ライン断線検出方式では、前記一連のパルス状信号に、前記制御データ信号のデータと前記監視データ信号のデータとで構成される制御・監視データ領域と異なる、複数のパルス状信号で構成される管理データ領域を設け、前記管理データ領域において、前記子局の一つを特定する管理制御データを構成する信号が重畳される出力データ期間とそれに対応する同一周期の入力データ期間に、前記子局からの個別特定データを構成する信号が重畳され、前記個別特定データと比較用データの比較照合結果に基づいて断線の有無が判断される。【００１２】
前記個別特定データが、前記子局に付与されたアドレスであり、前記比較用データが前記管理制御データであってもよい。また、前記個別特定データが、予め決められた複数ビット値であり、前記比較用データが前記複数ビット値であってもよい。【００１３】
本発明に係る子局ターミナルは、親局が接続された共通データ信号線に接続され、アドレス抽出手段と、監視データ送信手段と、管理制御データ抽出手段と、管理監視データ送信手段と、個別特定データ出力手段を備える。前記アドレス抽出手段は、前記共通データ信号線を介して伝送される一連のパルス状信号の始まりを示すスタート信号を起点として、前記一連のパルス状信号のパルスをカウントし、前記カウントの値が自局アドレスと一致するタイミングの制御データ信号を得る。前記監視データ送信手段は、前記共通データ信号線を介して伝送される一連のパルス状信号に、前記アドレス抽出手段から前記制御データ信号が引き渡されたタイミングで、自局からの情報として監視データ信号を重畳する。前記管理制御データ抽出手段は、前記一連のパルス状信号において、前記監視データ信号を重畳するための領域とは異なる、複数のパルス状信号で構成される管理データ領域に、前記親局から前記管理データ領域に重畳された管理制御データを抽出する。管理監視データ送信手段は、前記管理制御データを構成する信号が重畳される出力データ期間に対応する同一周期の入力データ期間に自局からの情報として管理監視データ信号を重畳する。前記個別特定データ出力手段は、前記管理制御データ抽出手段から前記アドレスデータを得て、前記アドレスデータが自局アドレスと一致するときに前記管理監視データ送出手段に自局の個別特定データを引き渡す。
【発明の効果】
【００１４】
本発明に係る伝送ライン断線検出方式では、伝送クッロクの１周期が入力データ期間と出力データ期間とに区分されている一連のパルス状信号において、制御データ信号のデータと監視データ信号のデータとで構成される制御・監視データ領域と異なる、複数のパルス状信号で構成される管理データ領域を設ける。そして、この管理データ領域に、子局からの応答として自局の個別特定データを構成する信号が重畳されるため、検知対象となっている子局からの応答であることが明確となる。更に、個別特定データと比較用データの比較照合結果に基づいて断線の有無を判断することができる。そのため、ノイズを検知対象となっている子局からの応答として誤検出することなく、伝送ラインの断線（以下、「断線」という）を正確に検出することができる。【００１５】
また、子局の各々は、一連のパルス状信号の始まりを示すスタート信号を起点として、一連のパルス状信号のパルスをカウントし、制御・監視データ領域を構成する複数のパルス中、自局に対応するパルスから制御データ信号を抽出するとともに監視データ信号を重畳するものとなっているが、管理データ領域を構成する複数のパルスは、いずれの子局にも対応しないものであり、制御・監視データ領域のデータ容量を変えるものではない。更に、子局からの個別特定データを構成する信号は、子局の一つを特定する管理制御データを構成する信号が重畳される出力データ期間に対応する同一周期の入力データ期間に重畳される。すなわち、本発明に係る伝送ライン断線検出方式は、子局の各々に対応する複数のパルスで構成される制御・監視データ領域と異なり、いずれの子局にも対応していない管理データ領域を、親局からのデータ出力と、子局からのデータ入力の双方に使用するものとなっている。そのため、伝送同期方式において、既存の制御・監視データ領域に影響を与えることなく、親局と子局の双方からの管理データ（管理制御データおよび管理監視データ）を、スタート信号から開始される一連のデータ群（１フレーム伝送サイクル）として制御データおよび監視データと同時に伝送することができる。しかも、親局からの出力用領域と、子局からの入力用領域を個別に設ける場合と比較し、伝送速度に与える影響を小さく抑えることができる。【００１６】
本発明において、子局の個別特定データを複数の子局の各々で異なるもの、例えば、伝送同期に必要とされるアドレスデータとすれば、別の子局から誤って送信された場合の区別ができるため好ましい。【００１７】
また、本発明に係る子局ターミナルは、管理データ領域に、管理制御データを構成する信号が重畳される出力データ期間に対応する同一周期の入力データ期間に自局からの情報として管理監視データ信号を重畳する管理監視データ送信手段と、親局から管理データ領域に重畳されたアドレスデータが自局アドレスと一致するときに管理監視データ送出手段に自局の個別特定データを引き渡す個別特定データ出力手段を備えるため、本発明に係る伝送ライン断線検出方式に好適である。
【図面の簡単な説明】
【００１８】
【図１】本発明に係る伝送ライン断線検出方式を採用した制御・監視信号伝送システムの実施例における、親局と子局の間の伝送方式の模式図である。
【図２】制御・監視信号伝送システムの概略構成を示すシステム構成図である。
【図３】親局のシステム構成図である。
【図４】入出力子局のシステム構成図である。
【図５】伝送クロック信号のタイムチャート図である。
【図６】親局に記憶されるＩＤＸアドレスデータテーブルの模式図である。
【図７】制御・監視信号伝送システムの他の実施例における親局のシステム構成図である。
【発明を実施するための形態】
【００１９】
図１〜６を参照しながら、本発明に係る伝送ライン断線検出方式を採用した制御・監視信号伝送システムの実施例を説明する。
図２に示すように、この制御・監視信号伝送システムは、制御部１および共通データ信号線ＤＰ、ＤＮに接続された単一の親局２と、前記共通データ信号線ＤＰ、ＤＮに接続された入出力子局５、出力子局６および入力子局７の複数で構成される。なお、図２においては、図示の便宜上、各々の子局が一つずつ示されているが、共通データ信号線ＤＰ、ＤＮに接続される子局の種類や数に制限は無い。
【００２０】
入出力子局５、出力子局６および入力子局７は、制御部１の出力指示に応じて動作する被制御部８に対する信号出力処理と、制御部１への入力情報を取り入れる入力部９からの入力信号処理のいずれかまたは双方を行うものである。なお、被制御部８とは、例えば、アクチュエータ、（ステッピング）モータ、ソレノイド、電磁弁、リレー、サイリスタ、ランプ等であり、入力部９とは、例えば、リードスイッチ、マイクロスイッチ、押釦スイッチ、光電スイッチ等である。入出力子局５は、被制御部８と入力部９の双方に接続され、出力子局６は被制御部８のみに接続され、入力子局７は入力部９にのみ接続されている。なお、出力子局６は被制御部８を内包するものであってもよく、また、入力子局７は入力部９を内包するものであってもよい。
【００２１】
制御部１は、例えばプログラマブルコントローラ、コンピュータ等であり、制御データ１３、および管理制御データ１４を送出する出力ユニット１１と、被制御装置４側からのセンサデータ（監視データ信号のデータ）１６および断線検出データ１５を受け取る入力ユニット１２を有する。そして、これら出力ユニット１１と入力ユニット１２が親局２に接続されている。また、入力ユニット１２から受け取ったデータに基づいて、出力ユニット１１から送出されるデータを算出する管理判断手段１７を備えている。
【００２２】
親局２は、図３に示すように、出力データ部２１、管理データ部２２、タイミング発生部２３、親局出力部２４、親局入力部２５、入力データ部２６および比較判断手段２７を備える。そして、共通データ信号線ＤＰ、ＤＮに接続され、一連のパルス状信号である制御データ信号（以下、伝送クロック信号というものとする）を共通データ信号線ＤＰ、ＤＮに送出するとともに、入出力子局５、出力子局６、または入力子局７（以下、これら全てを指す場合は「子局５、６、７」という）から送出された監視データ信号および管理監視データ信号に基づいた比較データを、監視データ１６および断線検出データ１５として制御部１の入力ユニット１２へ送出する。
【００２３】
出力データ部２１は、制御部１の出力ユニット１１から制御データ１３として受けた並列データをシリアルデータとして親局出力部２４へ引き渡す。
【００２４】
管理データ部２２は、子局５、６、７の各々に関する情報を集約したＩＤＸアドレステーブルの記憶手段２９を備えている。この実施例において、ＩＤＸアドレステーブルとは、断線確認の対象となる子局５、６、７のいずれか一つを特定するためのデータであり、子局５、６、７の先頭アドレスが用いられる。制御部１からデータテーブル作成指示を受けて生成されるが、その生成手順は後述する。
【００２５】
タイミング発生部２３は、発振回路（ＯＳＣ）３１とタイミング発生手段３２からなり、ＯＳＣ３１を基にタイミング発生手段３２が、このシステムのタイミングクロックを生成し親局出力部２４に引き渡す。
【００２６】
親局出力部２４は、制御データ発生手段３３とラインドライバ３４からなる。制御データ発生手段３３が、出力データ部２１及び管理データ部２２から受けたデータと、タイミング発生部２３から受けたタイミングクロックに基づき、ラインドライバ２４を介して共通データ信号線ＤＰ、ＤＮに一連のパルス状信号として伝送クロック信号を送出する。
【００２７】
伝送クロック信号は、図１に示すように、スタート信号ＳＴに続く制御・監視データ領域と、更にこれに続く管理データ領域を有するものとなっている。制御・管理データ領域は、親局２から送出される制御データ信号のデータＯＵＴｎ（ｎは整数）と子局５、６、７から送出される監視データ信号のデータＩＮｎ（ｎは整数）とで構成される。伝送クロック信号は、図５に示すように、１周期の後半が高電位レベル（この実施例では＋２４Ｖ）と、前半が低電位レベル（この実施例では＋１２Ｖ）とされ、低電位レベルとなるパルス前半のパルス幅間隔が出力データ期間となり、同じく低電位レベルとなるパルス前半が入力データ期間ともなる。そして、低電位レベルのパルス幅間隔が制御データ信号のデータＯＵＴｎを、低電位レベルに重畳される電流の有無が監視データ信号のデータＩＮｎを表すものとなっている。この実施例では、伝送クロック信号の１周期をｔ０とした時、低電位レベルのパルス幅間隔幅は（１／４）ｔ０から（３／４）ｔ０まで拡張されるが、制御部１から入力される制御データ１３の各データの値に応じたものであれば、その幅に制限はなく適宜に決めればよい。また、入力データ期間と出力データ期間も適宜に決めることができ、例えば、入力データ期間はこの実施例と同様にパルス前半（低電位レベル）とし、パルス後半（高電位レベル）のパルス幅間隔を出力データ期間としてもよく、逆に、出力データ期間をこの実施例と同様にパルス前半（低電位レベル）とし、パルス後半（高電位レベル）を入力データ期間としてもよい。更に、パルス後半（高電位レベル）を出力データ期間と入力データ期間を兼ねるものとしてもよい。伝送クロック信号の１周期の後半が低電位レベルとなる場合も同様である。なお、図１において、上段は出力データ期間を、下段は入力データ期間を示すものとなっている。
【００２８】
伝送クロック信号の管理データ領域は、親局２から送出される管理制御データ信号のデータＩＤＸｏ（以下、管理制御データＩＤＸｏとする）が重畳される管理制御データ領域と、子局５、６、７から送出されるデータＩＤＸｉ（以下管理監視データＩＤＸｉとする）が重畳される管理監視データ領域で構成される。管理制御データＩＤＸｏは、制御データ信号のデータＯＵＴｎと同様に、低電位レベルのパルス幅間隔幅として表される。また、管理監視データＩＤＸｉは、監視データ信号のデータＩＮｎと同様に、低電位レベルに重畳される電流の有無として表される。
【００２９】
スタート信号ＳＴは、伝送クロック信号の高電位レベルと同じ電位レベルであって、伝送クロック信号の１周期より長い信号となっている。
【００３０】
親局入力部２５は監視信号検出手段３５と監視データ抽出手段３６で構成され、入力データ部２６へ直列の入力データ３７を送出し、また、比較判断手段２７へ抽出したＩＤＸｉデータ３８を送出する。監視信号検出手段３５は、共通データ信号線ＤＰ、ＤＮを経由して子局５、６、７から送出された監視データ信号と管理監視データ信号を検出する。監視データ信号および管理監視データ信号のデータ値は、既述のように低電位レベルに重畳される電流の有無で表わされており、スタート信号ＳＴが送信された後、まず、入出力子局５または入力子局７の各々から順次監視データ信号を受け取り、続いて子局５、６、７の何れか一局からの管理監視データ信号を受け取るものとなっている。監視データ信号および管理監視データ信号のデータは、タイミング発生手段３３の信号に同期して監視データ抽出手段３６で抽出される。そして、監視データ信号のデータは、直列の入力データ３７として入力データ部２６に送出される。また、管理監視データ信号である直列のＩＤＸｉデータ３８は比較判断手段２７に送出される。比較判断手段２７は、ＩＤＸｉデータ３８と管理データ部２２から引き渡されたアドレスデータ３９（管理制御データＩＤＸｏと同じ値）を照合比較し、その一致結果を入力データ部２６と管理データ部２２に送出する。
【００３１】
入力データ部２６は、親局入力部２５から受け取った直列の入力データ３７を並列（パラレル）データに変換し、監視データ１６として制御部１の入力ユニット１２へ送出する。また、比較判断手段２７から受取ったデータを断線検出データ１５として制御部１の入力ユニット１２へ送出する。
【００３２】
入出力子局５は、図４に示すように、伝送受信手段４１、管理制御データ抽出手段４２、アドレス抽出手段４３、アドレス設定手段４４、制御データ抽出手段４５、管理監視データ送出手段４６、監視データ送出手段４７、出力手段４８、入力手段４９、およびＩＤアドレス応答手段５０を有する子局入出力部４０を備える。なお、この実施例の入出力子局５は、内部回路としてマイクロコンピュータ・コントロール・ユニットであるＭＣＵを備えており、このＭＣＵが子局入出力部４０として機能するものとなっている。処理において必要となる演算や記憶は、このＭＣＵ（以下、ＭＣＵ４０とする）の備えるＣＰＵ、ＲＡＭおよびＲＯＭを使用して実行されるが、子局入出力部４０を構成する上記各手段のそれぞれの処理におけるＣＰＵ、ＲＡＭおよびＲＯＭとの関係は、説明の便宜上、図示を省略するものとする。
【００３３】
伝送受信手段４１は、共通データ信号線ＤＰ、ＤＮに伝送される伝送クロック信号を受けて、これを管理制御データ抽出手段４２、アドレス抽出手段４３、および管理監視データ送信手段４６に引き渡す。管理制御データ抽出手段４２は、伝送クロック信号の管理データ領域から、管理制御データ信号のデータを抽出し、これらをＩＤアドレス応答手段５０に引き渡す。一方、アドレス抽出手段４３は、伝送クロック信号の始まりを示すスタート信号ＳＴを起点としてパルスをカウントし、そのカウント値がアドレス設定手段４４で設定された自局アドレスデータと一致するタイミングで、制御データ抽出手段４５と監視データ送信手段４７に制御データ信号を引き渡す。
【００３４】
制御データ抽出手段４５は、アドレス抽出手段４３から引き渡された制御データ信号からデータ値を抽出し、これをシリアルデータとして出力手段４８に引き渡す。出力手段４８は、制御データ抽出手段４５から引き渡されたシリアルデータをパラレルデータに変換し、被制御部８に出力し、被制御部８に所定の動作をさせる。
【００３５】
監視データ送信手段４７は、アドレス抽出手段４３から制御データ信号が引き渡されたタイミングで、入力手段４９から引き渡されるシリアルデータに基づいて、トランジスタＴＲのベース電流を“ｏｎ”または“ｏｆｆ”とする。ベース電流が“ｏｎ”の場合、トランジスタＴＲは”ｏｎ”となり、データ信号線ＤＰ、ＤＮに監視データ信号である電流信号が出力される。この実施例では、図５に示すように、監視データ信号のデータ値が「１」の場合には所定値Ｉｔｈ以上の電流（例えば、３０ｍＡ）を流すことで表現されている。従って、例えば、図５に示す信号のアドレス０番地（＃ａｄ０）、１番地（＃ａｄ１）、２番地（＃ａｄ２）及び３番地（＃ａｄ３）のそれぞれにおける監視データはそれぞれ“０”、“０”、“１”、“０”を表わすことになる。なお、入力手段４９から監視データ送信手段４７に引き渡されるデータは、入力部９からの入力に基づくものであり、例えば、入力部９としてオンオフスイッチが接続されている場合は、スイッチの“ｏｎ”または“ｏｆｆ”を示す電流信号や電圧信号に基づくものとなる。
【００３６】
管理監視データ送信手段４６は、伝送クロック信号のスタート信号ＳＴを起点としてパルスをカウントし、管理データ領域のタイミングを得る。そして、ＩＤアドレス応答手段５０から引き渡されるデータに基づき、前記トランジスタＴＲのベース電流を出力し、データ信号線ＤＰ、ＤＮに管理監視データ信号である電流信号を出力する。
【００３７】
ＩＤアドレス応答手段５０は、本発明の個別特定データ出力手段に相当するもので、管理制御データ抽出手段４２から引き渡された管理制御データ信号のデータＩＤＸｏが自局アドレスのデータ値と一致するときに、その自局アドレス（本発明の個別特定データに相当）を出力する。ただし、自局アドレスが出力されるタイミングは、管理制御データ信号のデータＩＤＸｏが自局アドレスのデータ値と一致したフレームから、１フレーム伝送サイクル遅れたものとなる。
【００３８】
出力子局６の子局出力部６０は、入力手段４９を有さない他は、子局入出力部４０と同じ構成となるため、その説明は省略する。また、入力子局７の子局入力部７０は、出力手段４８を有さない他は、子局入出力部４０と同じ構成となるため、その説明は省略する。
【００３９】
次に、上記構成の制御・監視信号伝送システムにおける伝送ライン断線検出方式の手順について説明する。
この制御・監視信号伝送システムでは、まず、ＩＤＸアドレステーブルが作成される。ＩＤＸアドレステーブルの作成においては、制御部１から親局２に対し、ＩＤＸアドレステーブル作成の指示が送出される。これを受けた親局２は、スタート信号ＳＴとこれに続く制御・監視データ領域と管理データ領域で構成される伝送サイクル毎に、管理制御データＩＤＸｏによって、順次子局５、６、７の全てに対し割り付けられたアドレスを指定していく。
【００４０】
子局５、６、７の各々は、管理制御データＩＤＸｏが自局アドレスであるとき、管理監視データＩＤＸｉとして自局アドレスを返す。これを受けて、親局２では、管理監視データＩＤＸｉを抽出し管理制御データＩＤＸｏと照合比較し、一致していれば、ＩＤＸアドレステーブルを構成するデータとして記憶する。
【００４１】
作成されるＩＤＸアドレステーブルでは、先頭アドレスのみがＩＤＸアドレステーブルのデータとして記憶されることになる。図６に示す場合、＃ａｄ０のアドレスが付与された局は、監視データ信号のデータ値が１ビットであり、ＩＤＸアドレステーブルのデータは＃ａｄ０と＃ａｄ１が連続した値となる。一方＃ａｄ１のアドレスが付与された局は、監視データ信号のデータ値が２ビットであるため、＃ａｄ２のパルスも＃ａｄ１と同じ局に割り当てられることになる。そのため、ＩＤＸアドレステーブルのデータは、＃ａｄ１の次の値として＃ａｄ３が記憶されることになる。なお、この実施例では、監視データ信号のデータ値が１ビットである場合であっても、すなわち＃ａｄ０も、＃ａｄ１と同様、先頭アドレスとされる。
【００４２】
ＩＤＸアドレステーブル作成の終了を認識した制御部１は、断線確認を指示するための制御管理データ１４を出力する。これを受けた親局２は、ＩＤＸアドレステーブルに記憶されているデータ群の中の一つを指定する管理制御データＩＤＸｏを出力する。
【００４３】
子局５、６、７の各々は、管理制御データＩＤＸｏが、自局アドレスと一致するとき、管理監視データＩＤＸｉとして自局アドレスを返す。これを受けて、親局２では、管理監視データＩＤＸｉを抽出し管理制御データＩＤＸｏと照合比較し、照合比較結果を断線検出データ１５として制御部１に引き渡す。
【００４４】
制御部１では、抽出された管理監視データＩＤＸｉと管理制御データＩＤＸｏの照合比較の結果が一致を示すものであれば、伝送ラインの断線は生じていないものと判断する。また、不一致であれば、子局５、６、７の伝送ラインに断線が生じているものと判断する。
【００４５】
管理制御データＩＤＸｏによるＩＤＸアドレステーブルのデータの指定は、テーブル番号に従ったものとなっている。すなわち、まず、テーブル番号１のインデックスアドレスデータ（＃ａｄ０）が選択され管理制御データＩＤＸｏとして出力される。そして、伝送サイクル毎に、各テーブル番号に対応する先頭アドレスデータに順次変更される。ただし、管理制御データＩＤＸｏでＩＤＸアドレステーブルのデータを指定する順番に制限は無く、例えば、機能による優先順位に従うものとしてもよい。
【００４６】
個別特定データは、子局５、６，７からの応答であることが、ノイズと明確に区別できる程度の複数ビットのデータとしてもよい。個別特定データとして、予め決められた複数ビット値を採用した場合の実施例について、図７を参照しながら説明する。なお、図７において、図１〜６に示す実施例と実質的に同一の部分には同符号を付し、その説明は省略する。
【００４７】
この実施例における子局５、６、７のＩＤアドレス応答手段５０は、個別特定データとして所定の複数ビット値（“１０１０”など）を内部に記憶しており、管理制御データ抽出手段４２から引き渡された管理制御データ信号のデータＩＤＸｏが自局アドレスのデータ値と一致するときに、その複数ビット値を出力する。一方、親局２は、個別特定データである所定の複数ビット値を比較用データとして記憶するためのデータ記憶手段２８を備えており、比較判断手段２７は、このデータ記憶手段２８から引き渡された比較用データとＩＤＸｉデータ３８とを照合比較し、その一致結果を入力データ部２６と管理データ部２２に送出する。
【符号の説明】
【００４８】
１    制御部
２    親局
５    入出力子局
６    出力子局
７    入力子局
８    被制御部
９    入力部
１１  出力ユニット
１２  入力ユニット
１３  制御データ
１４  管理制御データ
１５  断線検出データ
１６  監視データ
１７  管理判断手段
２１  出力データ部
２２  管理データ部
２３  タイミング発生部
２４  親局出力部
２５  親局入力部
２６  入力データ部
２７  比較判断手段
２８  データ記憶手段
２９  記憶手段
３１  ＯＳＣ（発振器）
３２  タイミング発生手段
３３  制御データ発生手段
３４  ラインドライバ
３５  監視信号検出手段
３６  監視データ抽出手段
３７  入力データ
３８  ＩＤＸｉデータ
３９  アドレスデータ
４０  子局入出力部
４１  伝送受信手段
４２  管理制御データ抽出手段
４３  アドレス抽出手段
４４  アドレス設定手段
４５  制御データ抽出手段
４６  監視データ送信手段
４７  管理監視データ送信手段
４８  出力手段
４９  入力手段
５０  ＩＤアドレス応答手段
６０  子局出力部
７０  子局入力部
ＴＲ  トランジスタ
【図１】
2013046296.tif 000003
【図２】
2013046296.tif 000004
【図３】
2013046296.tif 000005
【図４】
2013046296.tif 000006
【図５】
2013046296.tif 000007
【図６】
2013046296.tif 000008
【図７】
2013046296.tif 000009
【国際調査報告】
2013046296.tif 000010
2013046296.tif 000011
2013046296.tif 000012